(57)【要約】【課題】  モータで紙送りを自動化でき、紙切れ時にロールペーパーの芯の落下を平行一対の支持棒で防止し、芯を、蓋の開閉動作に連動させて落下回収できるよう形成したロールペーパーホルダーにおいて、蓋の裏側の刃の根元に紙が詰まることを防止し、紙を円滑に且つ確実に送り出すことができるようにする。【解決手段】  蓋３の前部３ａの下端にロールペーパー１を切断するための刃１５を形成する。蓋３の裏側の刃１５の根元に、切断後のペーパー１の刃離れを良くするためのペーパー外し部１７を、蓋３の裏側に向かって凸湾曲状に形成する。モータ５をリバーシブルモータで構成する。このモータ５の始動時にモータ５を一瞬逆回転させた後、正回転させてロールペーパー１を送り出し制御するコントローラ１９を備える。【選択図】      図１
2006087476.tif 000002
【特許請求の範囲】
【請求項１】
ロールペーパーが芯を横にして収納される本体部と、この本体部の上面を塞ぐ蓋とを備え、本体部の前側に、蓋の前部と接触するローラがロールぺーパーの芯の配置方向に沿って横架され、このローラを回転させてロールペーパーの引き出し端をローラと蓋との間から送り出すモータが本体部に設けられ、又ロールペーパーを支持する平行一対の支持棒が本体部の下部にロールペーパーの芯の配置方向に沿って、且つ支持棒同士の間隔がロールペーパーの芯の直径より小さい状態で横架され、後側の支持棒が蓋の開き動作に連動してロールペーパーの直径の範囲内で後退動作自在に形成されているロールペーパーホルダーであって、上記の蓋の前部の下端にロールペーパーを切断するための刃が形成され、蓋の裏側の刃の根元に切断後のペーパーの刃離れを良くするためのペーパー外し部が蓋の裏側に向かって凸湾曲状に形成され、上記のモータがリバーシブルモータで構成され、このモータの始動時にモータを一瞬逆回転させた後、正回転させてロールペーパーを送り出し制御するコントローラを備えて形成されていることを特徴とするロールペーパーホルダー。
【請求項２】
請求項１記載のロールペーパーホルダーであって、刃が外方に反り返されていることを特徴とするロールペーパーホルダー。
【請求項３】
請求項１又は２記載のロールペーパーホルダーであって、本体部の両側壁の内側下部に、倒伏時に平行一対の支持棒の間に配置される芯なしロールペーパー用支持部材が、起伏動作自在に設けられていることを特徴とするロールペーパーホルダー。
【請求項４】
請求項３記載のロールペーパーホルダーであって、芯なしロールペーパー用支持部材が、起立時に本体部の側壁内に没して収納されることを特徴とするロールペーパーホルダー。
【発明の詳細な説明】
【技術分野】
【０００１】
本発明はロールペーパーホルダーに関し、更に詳しくはモータで紙の送り出しを自動化したロールペーパーホルダーに関するものである。
【背景技術】
【０００２】
従来この種のホルダーとしては、例えば本出願人の提案に係る特許第３４９６８３４号公報に記載されているものがある（特許文献１参照）。
この従来品は、蓋とローラとでロールペーパーの引き出し端を挟んだ状態でペーパーの送り出しをモータで自動化すると共に、紙切れ時にロールペーパーの芯の落下を平行一対の支持棒で防止し、芯を、蓋の開閉動作に連動させて落下回収できるよう形成しているものである。
この先行事例は、手の不自由な人や身障者等が楽にトイレットペーパーを引き出すことができ、又ロールペーパーの交換を、簡単化、容易化、迅速化できるものである。
【０００３】
しかしながらこの従来品の場合は、蓋の前部の下端に例えば鋸歯状の歯を設け、この刃でロールペーパーを切ると、刃の間にペーパーの切断端が入り込み、刃にペーパーが貼り付いた状態になり易かった。
従って従来のこの種のホルダーによると、蓋の裏側の刃の根元に、紙が詰まり易く、ペーパーを円滑に送り出すことができない、という問題点があった。
【特許文献１】特許第３４９６８３４号公報
【発明の開示】
【発明が解決しようとする課題】
【０００４】
本発明は、このような従来技術の問題点に鑑み、提案されたものである。
従って本発明の解決しようとする技術的課題は、モータで紙送りを自動化でき、紙切れ時にロールペーパーの芯の落下を平行一対の支持棒で防止し、芯を、蓋の開閉動作に連動させて落下回収できるよう形成したロールペーパーホルダーにおいて、蓋の裏側の刃の根元に紙が詰まることを防止し、紙を円滑に且つ確実に送り出すことができるよう形成したロールペーパーホルダーを提供することにある。
【課題を解決するための手段】
【０００５】
本発明は、上記の課題を解決するため、次のような技術的手段を採る。
即ち本発明は、図１等に示されるように、ロールペーパー１が芯１ａを横にして収納される本体部２と、この本体部２の上面を塞ぐ蓋３とを備え、本体部２の前側に、蓋３の前部３ａと接触するローラ４がロールペーパー１の芯１ａの配置方向に沿って横架され、このローラ４を回転させてロールペーパー１の引き出し端１ｂをローラ４と蓋３との間から送り出すモータ５が本体部２に設けられ、又ロールペーパー１を支持する平行一対の支持棒１０が本体部２の下部にロールペーパー１の芯１ａの配置方向に沿って、且つ支持棒１０同士の間隔がロールペーパー１の芯１ａの直径より小さい状態で横架され、後側の支持棒１０が蓋３の開き動作に連動してロールペーパー１の直径の範囲内で後退動作自在に形成されているロールペーパーホルダーであって、上記の蓋３の前部３ａの下端にロールペーパー１を切断するための刃１５が形成され、蓋３の裏側の刃１５の根元に切断後のペーパー１の刃離れを良くするためのペーパー外し部１７が蓋３の裏側に向かって凸湾曲状に形成され、上記のモータ５がリバーシブルモータで構成され、このモータ５の始動時にモータ５を一瞬逆回転させた後、正回転させてロールペーパー１を送り出し制御するコントローラ１９を備えて形成されていることを特徴とする（請求項１）。
【０００６】
ここで、ロールペーパー１の芯１ａの直径より小さい状態で、とは、紙が全て送り出されてロールペーパー１が芯１ａだけになっても、蓋３が開かれない限り、芯１ａは支持棒１０で支持され、落下が防止される、ということを意味する。又ロールペーパー１の直径の範囲内で、とは、蓋３を開いて新しいロールペーパー１を本体部２内に投入したとき、ロールペーパー１が落下することなく支持棒１０で支持されて収納される、ということを意味する。本発明の場合、ペーパー外し部１７は、蓋３の裏側に向かって凸湾曲状に形成されているのであれば、蓋３の前部３ａの下端に、その左右方向の全長にわたって形成される場合には限られない。即ちペーパー外し部１７は、例えば蓋３の裏側の刃１５の根元に、左右方向にわたって部分的に一定の長さに形成されるのでも、或いは左右方向にわたって一定の間隔をあけて椀形（球の一部をカットした形状）に形成されるのでも良い。またここで、一瞬とは、例えば０．３〜０．５秒程度を意味する。巻き戻される紙の長さとしては、約５〜１０ｍｍ程度である。なおロールペーパー１としては、例えばトイレ用、或いはキッチン用のものがある。
【０００７】
而して本発明は、刃１５が外方に反り返されているのが好ましい（請求項２）。
なぜならこれによると、ペーパー１を、ペーパー外し部１７から刃１５にわたって、蓋３の裏側に向かって凸湾曲状に反らせた状態で切断でき、刃１５が例えば鋸歯状の場合、一層、歯と歯の間にペーパー１が入り込み難くなり、ペーパー１の刃離れを良好にできるからである。
【０００８】
また請求項１又は２記載の本発明は、本体部２の両側壁の内側下部に、倒伏時に平行一対の支持棒１０の間に配置される芯なしロールペーパー用支持部材２１が、起伏動作自在に設けられているのが好ましい（請求項３）。
なぜならこれによると、芯なしロールペーパー１の径が紙を引き出すに連れ、一対の支持棒１０の間隔より小さくなっても、芯なしロールペーパー１を落下させることなく、最後まで使い切ることができるからである。
【０００９】
而してこの本発明の場合は、芯なしロールペーパー用支持部材２１が、起立時に本体部２の側壁内に没して収納されるのが好ましい（請求項４）。
なぜならこの場合は、ロールペーパー１の側面が起立状の支持部材２１と接触しないため、ロールペーパー１の引き出しに、支持部材２１が悪影響を及ぼすことを防止できるからである。
【発明の効果】
【００１０】
本発明は、このように蓋の前部の下端にロールペーパーを切断するための刃を形成し、蓋の裏側の刃の根元に切断後のペーパーの刃離れを良くするためのペーパー外し部を蓋の裏側に向かって凸湾曲状に形成し、紙送り用のモータをリバーシブルモータで構成し、このモータの始動時にモータを一瞬逆回転させた後、正回転させてロールペーパーを送り出し制御するコントローラを備えて形成しているものである。
従って本発明の場合は、ペーパーの切断端の刃離れが良くなり、しかもこの切断端を少し巻き戻してから送り出すことができるから、これによればペーパーを蓋の裏側に詰まらせることなく、円滑に且つ確実に送り出すことができる。
【発明を実施するための最良の形態】
【００１１】
以下、本発明を実施するための最良の形態を説明する。
本発明は、図１等に示されるように、ロールペーパー１が芯１ａを横にして収納される本体部２と、この本体部２の上面を塞ぐ蓋３とを備えてなる。
【００１２】
４は、蓋３の前部３ａと接触するローラである。このローラ４は、本体部２の前側に、ロールペーパー１の芯１ａの配置方向に沿って横架されている。また３ｂは、蓋３の前部３ａの内側に設けられている案内ローラである。この実施形態ではローラ４は、この案内ローラ３ｂの周面に接し、この案内ローラ３ｂを介して蓋３の前部３ａと接触するよう設けられている。５は、ローラ４を回転させてロールペーパー１の引き出し端１ｂを送り出すモータである。このモータ５は、リバーシブルモータで構成され、本体部２の側部の内部スペース６（図４参照）に、回転軸５ａを上向きにして設けられている。７は、モータ５の回転軸５ａに取り付けられているウォームである。このウォーム７は、ローラ４の一端部に設けられているウォームホイール８（図４参照）と噛み合わされている。９は、モータ５の駆動用スイッチである。
【００１３】
１０は、ロールペーパー１を支持する平行一対の支持棒である。この支持棒１０は、本体部２の下部にロールペーパー１の芯１ａの配置方向に沿って、且つ支持棒１０同士の間隔がロールペーパー１の芯１ａの直径より小さい状態で横架されている。そしてこの実施形態の本発明の場合、後側の支持棒１０は、リンク部材１１により蓋３の開き動作に連動してロールペーパー１の直径の範囲内で後退動作自在に形成されている。なお１０ａは、ロールペーパー１の前側を支承する補助用の回転棒である。
【００１４】
上記のリンク部材１１は、蓋３の後側のフランジ状の端部３ｃに上端１１ａが枢着されると共に、下端１１ｂが後側の支持棒１０の端部に枢着されている。１２は、端部３ｃに設けられている、蓋３の枢着軸である。また１３は、後側の支持棒１０の端部を案内するため、本体部２の各側板２ａに夫々形成されているスリットである。後側の支持棒１０の各端部は、このスリット１３を介して内部スペース６に突き出され、リンク部材１１を介して蓋３の端部３ｃに連結されている。
【００１５】
１４は、ロールペーパー１の受け板である。この受け板１４は、ロールペーパー１の周面が当接するよう、側板２ａに、前後一対状に横架されている。又この受け板１４は、ロールペーパー１の残量を本体部２の前方等から視認し易いよう、この実施形態では透明のアクリル板で形成されている。ロールペーパー１は、この受け板１４によって安定した姿勢で円滑に引き出すことが可能になる。なお前側の受け板１４は、ローラ４の周面と接触し、ローラ４でペーパー１を送り出したとき、ペーパー１の絡み付きを防止する役目も有している。
【００１６】
１５は、ロールペーパー１を切断するための刃である。この刃１５は、外方に反り返され、蓋３の前部３ａの下端に設けられている。この実施形態の場合、刃１５は、図７に示されるように、長板１６の長手方向の一辺に、鋸歯状に形成され、この長板１６が刃１５を下向きにして蓋３の前部３ａの下端に設けられているものである。なお長板１６は、蓋３の横幅と同じ寸法に選定されている。
【００１７】
また１７（図１、図５、図６等参照）は、切断後のペーパー１を刃１５から外すためのペーパー外し部である。このペーパー外し部１７は、図８〜図１０等に示されるように、縦断面がほぼ円弧状の専用部材１８が、蓋３の所定位置に取り付けられることで形成されている。専用部材１８は、その裏面に、上記の長板１６に形成されている孔１６ａと嵌り合う凸部１８ａが形成されている。専用部材１８は、この凸部１８ａを長板１６の孔１６ａに嵌合させて重合され、長板１６と一体化された状態で上辺の嵌め込み部１８ｂを、蓋３の前部３ａの裏側に形成されている嵌合雌部３ｄに嵌合させて蓋３に取り付けられる。これによりペーパー外し部１７は、蓋３の裏側の刃１５の根元に、蓋３の後側に向かって凸湾曲状に形成されるものである。
【００１８】
１９は、モータ５の始動時にモータ５を一瞬逆回転させた後、正回転させてロールペーパー１を送り出し制御するコントローラである。このコントローラ１９は、例えばマイコンで構成され、出力ポートにモータ５が接続されている。そしてコントローラ１９は、モータ５のスイッチ９が入ると、予め設定した例えば０．３秒間だけモータ５を逆回転させ、続いて所定時間正回転させる信号を、モータ５の駆動回路に出力するよう構成されている。２０（図３参照）は、モータ５のペーパー送り出し長さを設定するためのスイッチである。このスイッチ２０を操作することにより、モータ５の正回転する時間が設定され、このモータ駆動時間に対応する長さだけペーパー１が送り出されるものである。
【００１９】
２１（図１、図１１、図１２等参照）は、倒伏時に平行一対の支持棒１０の間に配置される、芯なしロールペーパー用の支持部材である。この支持部材２１は、本体部２の両側壁の内側下部に、起伏動作自在に設けられている。またこの支持部材２１は、起立時に本体部２の側壁内に没して収納されるよう設けられている。２２は、支持部材２１が収納される凹段差部である。この凹段差部２２は、本体部２の両側壁の内側下部が凹まれて形成されている。またこの凹段差部２２の上部の対向位置には、支持部材２１の外側面と係合して支持部材２１の起立姿勢を保持するための係合部２３が突起状に形成されている。
【００２０】
２４（図１、図２等参照）は、ロールペーパー１の側面を受けるための突条である。この突条２４は、本体部２の側壁の内面に、この実施形態では縦長に、平行状に３本形成されている。これにより、ロールペーパー１は、側壁の内面に面的に接触することが防止され、接触摩擦抵抗が減らされ、円滑に回転して引き出されるものである。またこの突条２４は、この実施形態では下方になるに連れて本体部２の内方に向かって高くなるよう前面が傾斜して形成されている。従ってこれによると、ロールペーパー１は、その側面の外周縁部が突条２４の下部と接触して支承されるから、回転時の接触摩擦が一層低減され、円滑に引き出される。
【００２１】
次に本発明のロールペーパーホルダーの作用を説明する。
先ず、モータ５の駆動用スイッチ９を入れる。すると、モータ５が、コントローラ１９からの信号を受けて、設定時間である０．３秒間だけ逆回転し、続いて正回転する。このモータ５の回転力はウォーム７に伝えられ、ウォーム７は、回転軸５ａを中心にした縦軸回転がウォームホイール８により横軸を中心にした回転に変換され、ウォームホイール８が取り付けられているローラ４が回転する。従ってモータ５が正逆回転すると、刃１５で切断されて刃１５の裏側位置に配置されているロールペーパー１の引き出し端１ｂを、ローラ４がペーパー１との摩擦で一旦巻き戻し、続いて前方へ一定の長さだけ送り出す。巻き戻し長さは、この実施形態では約５ｍｍである。送り出されたペーパー１は、刃１５の位置から手動で切断される。この場合、ペーパー１は、この例では刃１５が外向きに反り返されているため、刃１５の湾曲に沿って鋸歯状の歯と歯の間に強く食い込むことなく切断され、またペーパー外し部１７の膨らみで刃１５から自然に外される。
【００２２】
そして本発明の場合、ペーパー１が全て送り出されて芯１ａだけになると、芯１ａは支持棒１０で支持され、落下することなく本体部２内にそのまま残される。次にこの状態で蓋３を開くと、蓋３の端部３ｃの回転に連れてリンク部材１１が引き上げられ、このリンク部材１１を介して後側の支持棒１０がスリット１３に案内されながら、斜め後方に引き上げられて後退する。この結果支持棒１０同士の間隔が芯１ａの直径より大きくなり、芯１ａが落下し除去される。なお落下する芯１ａは、例えば本体部２の下側に、予備のロールペーパー１の収納部を設けておき、この収納部で回収するのが好ましい。
【００２３】
而して使用者は、蓋３が全開している状態で、新しいロールペーパー１を本体部２に投入する。本発明品の場合、後側の支持棒１０の後退距離は、上記の通り、ロールペーパー１の直径の範囲内に選定されている。従って本体部２内に投入したロールペーパー１は、一対の支持棒１０で支持され、落下することなく本体部２に収納される。そして使用者は、ロールペーパー１の引き出し端１ｂを、ローラ４に被せて前方に少し引き出し、蓋３を閉める。すると蓋３の端部３ｃに枢着されているリンク部材１１が押し下げられ、後側の支持棒１０がスリット１３に案内されて前進し、当初の位置に復帰する。これによりロールペーパー１は、一対の支持棒１０で安定的に支持され、また蓋３の前部３ａの案内ローラ３ｂがローラ４の周面に押し当てられ、引き出し端１ｂが案内ローラ３ｂを介して蓋３の前部３ａで当圧され、ローラ４による巻き戻し、送り出しが可能になる。
【００２４】
また本発明品において、芯なしのロールペーパー１を使用するときは、支持部材２１を内方に倒し、この支持部材２１を一対の支持棒１０の間に、ほぼ水平状に配置しておく。この状態で、上例の場合と同様、本体部２内に芯なしロールペーパー１を入れて引き出し端１ｂをセットする。本発明品では、芯なしロールペーパー１が使用されるのに連れ、その径が一対の支持棒１０の間隔より小さくなっても、支持部材２１で支持され、最後まで使い切ることができる。
なお本発明品はトイレの壁面等に取り付けられる場合には限られず、その他例えばキッチンの壁面等に取り付け、ロール形のキッチンペーパーの引き出しに使用するのでも良い。
【図面の簡単な説明】
【００２５】
【図１】本発明のロールペーパーホルダーの好適な一実施形態を示し、図２の状態の側面図である。
【図２】同上ロールペーパーホルダーの要部斜視図である。
【図３】同上ロールペーパーホルダーの斜視図である。
【図４】同上ロールペーパーホルダーの正面図である。
【図５】蓋の一部を切欠した要部側面図である。
【図６】蓋の一部を切欠した要部斜視図である。
【図７】刃を形成する長板を示し、Ａは正面図、ＢはＡのＢ―Ｂ線断面図である。
【図８】ペーパー外し部を形成する専用部材を示し、Ａは正面図、ＢはＡのＢ―Ｂ線断面図である。
【図９】長板と専用部材の取り付け状態を示す斜視図である。
【図１０】一体化した長板と専用部材を蓋の前部の下端裏側に取り付ける状態を示す要部斜視図である。
【図１１】支持部材が起立時の同上ロールペーパーホルダーの要部斜視図である。
【図１２】支持部材が倒伏時の同上ロールペーパーホルダーの要部斜視図である。
【符号の説明】
【００２６】
１      ロールペーパー
１ａ    芯               
１ｂ    引き出し端
２      本体部
３      蓋
３ａ    前部
４      ローラ
５      モータ
１０    支持棒
１５    刃
１７    ペーパー外し部
１９    コントローラ
【図１】
2006087476.tif 000003
【図２】
2006087476.tif 000004
【図３】
2006087476.tif 000005
【図４】
2006087476.tif 000006
【図５】
2006087476.tif 000007
【図６】
2006087476.tif 000008
【図７】
2006087476.tif 000009
【図８】
2006087476.tif 000010
【図９】
2006087476.tif 000011
【図１０】
2006087476.tif 000012
【図１１】
2006087476.tif 000013
【図１２】
2006087476.tif 000014